(57)【特許請求の範囲】
【請求項１】
複数のローラーから成る免震機構を、支承盤台と展示物が載置される展示物上載台座との間に配備して構成される展示用免震台であって、各ローラーの回転軸をローラー連結板の軸受部で軸支して成る免震機構、ローラーの回転軸とローラー連結板の軸受部間に装備し該回転軸と軸受部との間に摩擦部材を介在させて成る摩擦ダンパー機構、該摩擦ダンパー機構の摩擦部材を押圧して摩擦抵抗力を変更する押圧機構及び展示物の重量に応じて該摩擦ダンパー機構に生じさせるべき必要量の摩擦抵抗力の上限・下限値を表示した操作指示部を備えて成る、該押圧機構の摩擦力調整装置から構成されることを特徴とする展示用免震台。
【請求項２】
免震機構が、直交方向に積層して配置されることを特徴とする請求項１に記載の展示用免震台。
【請求項３】
押圧機構が、ローラー連結板端部の切り欠き部と該切り欠き部と間隙を保って対峙する締め付け材から構成されることを特徴とする請求項１又は２に記載の展示用免震台。
【請求項４】
操作指示部が、締め付け材をボルトでねじ込むことで得られる摩擦抵抗力を、ボルトの回転角あるいは締め付けトルクで表示することを特徴とする請求項３に記載の展示用免震台。
【発明の詳細な説明】
【０００１】
【発明の属する技術分野】
本発明は、展示用免震台に関し、特に、上載展示物に対応させて所望の免震状態に作動させるダンパー特性を付加させると共に、上載展示物の重量に合わせながら特別な技術を要することなく容易かつ迅速にダンパー特性を調整できる展示用免震台に関する。
【０００２】
【従来の技術】
最近の展示台座においては、展示物を地震による災害から回避させるために、展示台座の内部に免震装置を採用している。展示台座における免震装置は、支承盤台と展示物上載台座との間に配備されて、展示台座に載置した展示物を支持するものであり、地震等で地動と共に支承盤台が水平方向に移動しても、展示物が上載された展示物上載台座は、同じような移動をせずに振動周期を長周期化させている。
【０００３】
これによって、共振状態を防ぐと共に地震等の外部入力に対する展示物上載台座の応答加速度を減少させ、ダンパーによって展示物に伝達するエネルギーを軽減させるものである。
【０００４】
一方、展示台座の免震機構には、地震等に対する免震機能に加えて、鑑賞者等が展示物に触ることで無意識に与える揺動から、これを回避する機能も求められている。
【０００５】
これらの要求性能は、展示用免震台の水平変位と応答加速度に関係してくるものであるが、水平変位と応答加速度とをダンパーの抵抗力で解決することを考えると、ダンパーの摩擦抵抗力を大きくすると水平変位は小さくなるが、応答加速度は大きくなり、反対に、ダンパーの摩擦抵抗力を小さくすると応答加速度は小さくなるが、水平変位は大きくなると言う具合に相反する要求であり、水平変位と応答加速度とを要求される範囲に収めるためには、ダンパーの摩擦抵抗力を詳細に検討する必要があり、設計上の大きなテーマになっている。
【０００６】
加えて、展示用免震台は、展示物に合わせてそれ自体も展示されるものであり、展示物と同様に衆目の的になることから、構造面からの要求として可能な限り簡素な小型軽量の機構が求められている。
【０００７】
上記の要求を受けた展示用免震台４０の例は、図５に示すように支承盤台２と展示物上載台座３及びその間に配置される免震機構４と展示物上載台座３に装備された重し１１から構成されている。
【０００８】
展示用免震台４０の支承盤台２は、架台フレーム５を形成してその内側に免震機構４を取り付けるための支持枠６、６が配設されている。展示物上載台座３は、上段に配置される単一方向免震装置４Ｂの上に配備されており、両側の単一方向免震装置４Ｂを連結する形態に形成され、展示物上載台座３には、着脱自在な二枚の重し１１、１１が装備されている。
【０００９】
そして、免震機構４は、架台フレーム５の支持枠６、６に設置される単一方向免震装置４Ａと、これと直交させて設置される単一方向免震装置４Ｂから構成されており、単一方向免震装置４Ａ、４Ｂは、上コサインレール７Ａ、８Ａと下コサインレール７Ｂ、８Ｂ及びその間に配置されるローラー９ら構成されている。又、ローラーは、両側に配置したローラー連結板１０、１０によって結合されており、上下コサインレールのずれに従って容易に転動と移動が一体に行われるように構成されている。
【００１０】
そして、本展示用免震台４０は、摩擦係数と適正摩擦抵抗力を特定することで適切に作動させるものであるから、上載する展示物が変更される場合には、その重量に応じて重し１１の重量を調整する必要があり、上載する展示物の変更に見合った重し１１を着脱することで、展示物上載台座の重量を調整して水平移動量を超越しない範囲に収めている。
【００１１】
しかるに、上載する展示物の変更毎に重し１１の重量を調整して展示物上載台座の重量を調整することは、調整を大きい単位で行わざるを得ないために上載する展示物の重量に合わせた微調整ができないことや重し１１を展示物上載台座から着脱する手間が必要になることから、初期始動を抑制する機能を付加した免震機能を維持しつつ、上載している展示物の変更に際しても、その調整をさらにきめ細かくかつ容易にして構造的にも簡素にする形態が望まれている。
【００１２】
【発明が解決しようとする課題】
本発明は、上述した展示用免震台の現状に鑑みてその解決を図るために提案するものであり、上載展示物に対応させた所望の免震状態に作動するダンパー特性を付加すると共に、上載展示物の重量に合わせながら容易かつ迅速にダンパー特性を調整できる展示用免震台を提供している。
【００１３】
【課題を解決するための手段】
請求項１に記載の発明である展示用免震台は、複数のローラーから成る免震機構を、支承盤台と展示物が載置される展示物上載台座との間に配備して構成される展示用免震台であって、各ローラーの回転軸をローラー連結板の軸受部で軸支して成る免震機構、ローラーの回転軸とローラー連結板の軸受部間に装備し回転軸と軸受部との間に摩擦部材を介在させて成る摩擦ダンパー機構、該摩擦ダンパー機構の摩擦部材を押圧して摩擦抵抗力を変更する押圧機構及び展示物の重量に応じて該摩擦ダンパー機構に生じさせるべき必要量の摩擦抵抗力の上限・下限値を表示した操作指示部を備えて成る、該押圧機構の摩擦力調整装置から構成されることを特徴としており、上載展示物に対応させた所望の免震状態に作動すると共に、上載展示物の重量に合わせながら容易かつ迅速にダンパー特性を調整することができる。また、操作指示部には、展示物重量に対して必要な摩擦抵抗力の上限・下限値が表示されているので、展示物重量に応じて求められる摩擦力調整装置の必要操作が、特別の技量を持たない素人でも容易にできるものである。
【００１４】
請求項２に記載の発明である展示用免震台は、請求項１に記載の展示用免震台において、免震機構を直交方向に積層して配置することを特徴としており、上記機能に加えて、全ての方向の振動に対応することができる。
【００１５】
請求項３に記載の発明である展示用免震台は、請求項１又は２に記載の展示用免震台において、押圧機構をローラー連結板端部の切り欠き部と該切り欠き部と間隙を保って対峙する締め付け材から構成することを特徴としており、上記機能に加えて、摩擦部材の摩擦抵抗力を容易に調整できる。
【００１６】
請求項４に記載の発明である展示用免震台は、請求項３に記載の展示用免震台において、操作指示部が、締め付け材をボルトでねじ込むことで得られる摩擦抵抗力を、ボルトの回転角あるいは締め付けトルクで表示することを特徴としており、上記機能に加えて、締め付けトルク又はボルト回転角を表示しており、これによって、変更する上載展示物の重量が判った段階で、ねじ込むボルトを操作指示部の重量値の範囲内に設定（回転）するだけで所定のダンパー特性が得られるように構成されていて、上載展示物の重量に合わせたきめの細かい微調整を特別の訓練を要さずに簡易に実施出来る。
【００１７】
【発明の実施の形態】
本発明による展示用免震台は、基本的に、複数のローラーから成る免震機構を支承盤台と展示物が載置される展示物上載台座との間に配備して構成される展示用免震台であって、各ローラーの回転軸をローラー連結板の軸受部で軸支して成る免震機構、ローラーの回転軸とローラー連結板の軸受部間に装備し回転軸と軸受部との間に摩擦部材を介在させて成る摩擦ダンパー機構、摩擦ダンパー機構の摩擦部材を押圧して摩擦抵抗力を変更する押圧機構及び展示物の重量に応じて該摩擦ダンパー機構に生じさせるべき必要量の摩擦抵抗力の上限・下限値を表示した操作指示部を備えて成る、該押圧機構の摩擦力調整装置から構成されており、具体的には、免震機構を直交方向に積層して配置して全ての方向の振動に対応できるようにし、押圧機構をローラー連結板端部の切り欠き部と該切り欠き部と間隙を保って対峙する締め付け材から構成し、操作指示部が、締め付け材をボルトでねじ込むことで得られる摩擦抵抗力を、ボルトの回転角あるいは締め付けトルクで表示することを特徴にしている。
【００１８】
以下に、本発明の実施の形態を図面に基づいて説明するが、従来例と同様の部材については理解を容易にするために同様の符号で表示している。
【００１９】
図１は、本発明による展示用免震台の斜視図であり、免震機構を明示するために支承盤台及び展示物上載台座の周辺に配置される外装板を一部省略した状態で表示している。
【００２０】
本実施の形態における展示用免震台１は、図示のように支承盤台２と展示物上載台座３及びその間に配置される免震機構４から構成されている。
【００２１】
本発明による展示用免震台は、上記の構成によって地震による水平力が加えられても、支承盤台２と展示物上載台座３との間に配置される免震機構４の作用によってこれを吸収することで、展示物上載台座３の上に載置される展示物が破壊されることを阻止すると共に、免震機構４の初期始動を抑制することによって、鑑賞者等が展示物に無意識に触ることで発生するような小さな外力によっては、展示物上載台座３が揺動しないようにすることで、展示物上載台座３の上に載置されている展示物が転倒破壊されることを回避している。
【００２２】
展示物上載台座３は、単一方向免震装置４Ｂ、４Ｂの上に亘ってこれを連結する形態に形成すると共に、支承盤台２の周辺と展示物上載台座３の上面及び周辺には、外装板１２を配置することで展示用免震台１を一体のものとして簡素な状態に纏めて美観を保っている。
【００２３】
免震機構４は、架台フレーム７の支持枠６、６に設置される単一方向免震装置４Ａと、これと直交させて単一方向免震装置４Ａの上に設置される単一方向免震装置４Ｂから構成されており、ローラー連結板１０には摩擦ダンパー機構１５を備えている。
【００２４】
本実施の形態における単一方向免震装置４Ａ、４Ｂは、上コサインレール７Ａ、８Ａと、上コサインレール７Ａ、８Ａに対峙する下コサインレール７Ｂ、８Ｂ及びその間に配置されるローラー９、９から構成されている。ローラー９、９は、両側に配置したローラー連結板１０、１０によって結合されており、転動と移動が一体に行われるように構成されている。
【００２５】
上コサインレール７Ａ、８Ａと下コサインレール７Ｂ、８Ｂの両端部には、コサインカーブを描く凹弧状のローラー案内面が形成されているので、上記ローラー９は上下コサインレールのずれに従って容易に転動すると同時に復元力を発生するように構成されている。
【００２６】
上記構成によって、地震時に支承盤台２が、単一方向免震装置４Ａもしくは４Ｂの方向に水平移動しても、展示物上載台座３は、その慣性力と上記ローラー９の転動とによって、支承盤台２と同じような移動をせずに、振動周期を長周期化させることを可能にして共振状態を防いでいる。さらに、摩擦ダンパー機構１５を設けることによって、地震等の外部入力に対する展示物上載台座の応答加速度を減少させて、展示物に伝達するエネルギーを軽減させている。
【００２７】
又、地震時の水平力が収まると、上下一対のコサインレール７Ａ、８Ａ、７Ｂ、８Ｂは、ずれによって発生していた振動を復元力によって収斂させており、展示物上載台座に上載された展示物を移動させないように免震効果を発揮している。
【００２８】
本発明による展示用免震台１は、図２の実施の形態に示すように免震機構４において摩擦ダンパー機構１５を備えている。摩擦ダンパー機構１５は、後述するように軸受け部１８を構成している押圧機構２２と押圧機構２２の押圧力を調整する摩擦力調整装置２３から構成されている。
【００２９】
しかして、摩擦ダンパー機構１５は、摩擦力調整装置２３の締め付けトルク（Ｔ）を調整することによって、押圧機構２２の締め付け力（Ｎ）を制御して摩擦抵抗力（Ｆ）を設定している。この適正摩擦抵抗力（Ｆ）は、上載展示物の重量に合わせたダンパー特性を構成するものであるから、摩擦ダンパー機構１５は、上載展示物の重量変更に従ってそのダンパー特性を容易かつ迅速に調整出来る。
【００３０】
展示用免震台の設計において、免震装置に要求される性能は「免震効果（応答低減効果）」と「変位限界（δmax）を越えないこと」である。或る周期特性をもった免震装置と想定する入力地震動に対して、“変位限界を越えない状態と良好な免震効果（応答値≦目標値）”が得られる摩擦係数の適正範囲（μmin〜μmax）が設定され、振動解析や実験によって確認される。
【００３１】
これによって、上載重量（Ｗ）に対する摩擦抵抗力（Ｆ）は、Ｆ＝（μmin〜μmax）Ｗとして設定されることになり、この摩擦係数の範囲（μmin≦Ｆ／Ｗ≦μmax）に納まるように、上載重量（Ｗ）と摩擦抵抗力（Ｆ）の調整が行われることになる。
【００３２】
即ち、摩擦抵抗力（Ｆ）と展示物上載台座（ＤＬ）の重量が構造設計的に決定された後は、上載重量（Ｗ）はＦ／μmax〜Ｆ／μminの範囲内となり、台座に上載する展示物重量（ＬＬ１）はＷ−ＤＬと表せることから、（Ｆ／μmax−ＤＬ）〜（Ｆ／μmin−ＤＬ）の範囲内になるように展示物重量を逆算し、設定する事ができる。
【００３３】
台座上の展示物重量（ＬＬ１）が上記の範囲を超えれば、これを許容するために摩擦抵抗力（Ｆ）の調整を行い、摩擦係数を適正範囲内に納め直すことになる。
【００３４】
従って、展示用免震台を適切に作用させるために摩擦係数は適正範囲内にある特定の値μに設定しておきながら、展示物重量に応じた摩擦抵抗力（Ｆ）を、Ｆ＝μ（ＤＬ＋ＬＬ１）として求める事ができるので、上載する展示物（重量）が変更してもその重量に見合った摩擦抵抗力に調整することで免震効果が得られ、変位限界を越えない範囲に納めることができる。
【００３５】
図２は、摩擦ダンパー機構について摩擦係数を調整するための具体的な実施の形態であり、摩擦ダンパー機構の斜視図（ａ）と斜視図（ａ）の（ｂ）−（ｂ）矢視図（ｂ）である。
【００３６】
摩擦ダンパー機構１５が装備されている単一方向免震装置は、上述のように互いに対峙している一対の上下コサインレールとその間に配置されるローラー９から構成されており、ローラー９は、両側に配置したローラー連結板１６によって結合されて転動と移動が一体に行われるように構成されている。
【００３７】
各ローラー９は、その回転軸１７をローラー連結板１６の軸受部１８で軸支されており、Ｏリング２０等によって抜け止めされている。
【００３８】
回転軸１７と軸受部１８との間には摩擦部材２１が配置されており、摩擦部材２１の摩擦力を変更するために押圧機構２２が形成されている。押圧機構２２は、軸受部１８を構成しているローラー連結板１６と締め付け材２７において締め付け材２７をローラー連結板１６側に押圧することで構成されており、この押圧機構２２の摩擦抵抗力を調整するために皿ばね２８とボルト２９から構成される摩擦力調整装置２３が配置されている。
【００３９】
摩擦部材２１は、摩擦力を発揮する材質のものであれば、特に限定されることなく採用可能であるが、本実施の形態では、耐摩耗性と調整の容易さからエキスパンデットメタルを採用しており、これを伸縮可能な円筒形に加工している。
【００４０】
押圧機構２２の摩擦力調整装置２３は、ローラー連結板１６の両端部に配置される円筒孔２４とこの円筒孔に形成される間隙２５を操作する機構で構成されている。円筒孔２４は、ローラー連結板１６の端部における切り欠き部２６と切り欠き部２６から独立して対峙している締め付け材２７との間に構成されており、切り欠き部２６と締め付け材２７との間には、皿ばね２８を配置することで間隙２５を拡大するように構成しており、摩擦部材２１の摩擦力を減少させる方向に機能させている。
【００４１】
間隙２５は、軸受部１８の切り欠き部２６にボルト２９のねじ込みで締め付け材２７を押圧することによってその幅が調整されるものであり、幅を縮小することで軸受部１８の径を狭くして回転軸１７を締付けて摩擦部材２１の摩擦力を増大させる方向に構成されている。
【００４２】
ボルト２９のねじ込み機構は、図２（ｂ）の断面図に示すように、間隙２５を構成する締め付け材２７にばか穴３０を形成し、ローラー連結板１６の切り欠き部２６にタップ孔３１を設けることで構成されており、ボルト２９のねじ込みを操作することで上述した摩擦力調整装置２３を制御している。しかして、押圧機構２２を操作する摩擦力調整装置２３には、操作指示部３２を設けてあり、摩擦抵抗力（Ｆ）と展示物重量（ＬＬ１）との関係は、図４のグラフが示すμmin、μmaxの設定範囲において、上載する展示物が変更してもそれに見合った摩擦係数（μ）を簡単に調整して、展示用免震台を適切に作動させるように構成されている。
【００４４】
即ち、操作指示部３２には、展示物重量（ＬＬ１）に対して必要な摩擦抵抗力（Ｆ）の上限・下限値が表示されているので、展示物重量に応じて求められる摩擦力調整装置２３の必要操作が、特別の技量を持たない素人でも容易にできるものである。
【００４５】
さらに、展示物重量が変更した場合においても、任意の摩擦抵抗力（Ｆ）に対する展示物重量（ＬＬ１）の上限・下限値が表示されているので、摩擦抵抗力の変更の有無を特別の技量を持たない素人でも容易に判定できる。
【００４６】
以上の設定は、上記表示の他に、ローラー上部における展示物上載台座の重量＋展示物重量Ｗ（＝ＤＬ＋ＬＬ１）、展示用免震台のローラー１基当たりの摩擦抵抗力（ｆ）、摩擦ダンパーの素材の摩擦係数を補正した値（μ0）、ローラー個数（ｎ）とし、ローラー１基当たりの締め付け力（Ｎ）と締め付けトルク（Ｔ）、単位トルク当たりの締め付け力を表す係数ａ、ボルトねじ込み単位回転角当たりのトルクを表す係数（ｂ）及びボルトの回転角（θ）とした場合における、以下の各計算式によって、設計されることになる。
【００４７】
μ＝Ｆ／Ｗ                                    （１）
ｆ＝μ０×Ｎ、  Ｆ＝ｎｆ                       （２）
Ｎ＝ａＴ                                      （３）
Ｔ＝ｂθ                                      （４）
【００４８】
従って、本実施の形態における展示物上載台座３のように、単一方向免震装置４Ａ、４Ｂを直交させた免震装置では、全方位の振動に対して目標範囲内に応答を低減させるためには、方位毎に免震台の摩擦係数（μ）の幅μmin≦μ≦μmaxを振動解析によって求め、上記（１）式に従い、ＦとＷ（またはＤＬとＬＬ１）によって摩擦係数を調整している。
【００４９】
即ち、ローラー１基当たりの摩擦抵抗力（ｆ）の範囲は、次の計算式によって設定できる。
【００５０】
【式−１】
0004004291.tif 000002
【００５１】
ローラー１基当たりの締め付け力（Ｎ）、締め付けトルク（Ｔ）や摩擦力調整装置２３の回転角（θ）の範囲も上式と同様に設定することができる。逆に、ローラー１基当たりの摩擦抵抗力（ｆ）に対する展示物重量（ＬＬ１）の有効範囲は、次の計算式によって設定できる。
【００５２】
【式−２】
0004004291.tif 000003
【００５３】
尚、以上の設定計算においては、単一方向免震装置４Ａ、４Ｂの上下関係によって、勘案する上載物重量Ｗが異なってくることを考慮する必要がある。
【００５４】
同様に、摩擦ダンパー機構２２を操作する摩擦力調整装置２３では、所定の摩擦抵抗力（ｆ）を導入するために、ローラー１基当たりの締め付け力（Ｎ）とトルク（Ｔ）が求められている。
【００５５】
従って、摩擦力調整装置２３の操作は、設定した適正範囲内の摩擦抵抗力（Ｆ）が得られるローラー１基当たりの締め付け力（Ｎ）を確定するために、締め付けトルク（Ｔ）を算出して操作指示部に上載展示物の重量値として表示、または、上載展示物の重量に対して操作指示部にローラー１基当たりの締め付けトルク又はボルト回転角を表示しており、これによって本実施の形態における展示用免震台は、変更する上載展示物の重量が判った段階で、ねじ込むボルト２９を操作指示部３２の重量値の範囲内に設定（回転）するだけで所定のダンパー特性が得られるように構成されている。
【００５６】
又、摩擦力調整装置２３の操作は、上述した操作指示部３２に合わせてボルト２９をねじ込む方法の他にも、トルクレンチやトルクドライバーのように所定のトルクで空転する方式の器具を用いて、摩擦力調整装置２３に必要なトルクを導入する際に、トルク制御の操作指示部を張り付けておくことでも適用することができるものである。
【００５７】
図３は、摩擦ダンパー機構における他の実施形態であり、摩擦ダンパー機構の断面図である。
【００５８】
本実施の形態において、摩擦ダンパー機構１５を構成している押圧機構２２と摩擦力調整装置３３は、多くの部分を上記実施の形態と同様である。
【００５９】
即ち、摩擦力調整装置３３も、ローラー連結板１６の両端部に配置される円筒孔２４とこの円筒孔に形成される間隙２５を操作する機構で構成されており、円筒孔２４は、ローラー連結板１６の端部における切り欠き部２６と切り欠き部２６から独立して対峙している締め付け材２７との間に構成されている。
【００６０】
しかるに、本実施の形態では、切り欠き部と２６と締め付け材２７との間に皿ばね２８を配置しておらず、間隙２５の形成は締め付け材２７の自重に依っており、摩擦部材2１の摩擦力を減少させる方向に機能する間隙２５の拡大力は発生しないように構成されている。
【００６１】
皿ばね２８は、締め付け材２７とこれを押圧するボルト２９との間に配置されており、ボルト２９のねじ込みによる締め付け材２７の押圧は、皿ばね２８のばね力を活用しながら摩擦部材2１の摩擦力を増大させる方向に機能させて間隙２５の幅を調整している。
【００６２】
従って、押圧機構２２は、上記実施の形態と同様に上載する展示物が変更された場合に、摩擦力調整装置３３を操作することでそれに見合った摩擦係数を簡単に調整しながら展示用免震台を適切に作動させることができる。
【００６３】
以上の各実施の形態で明らかなように、本発明による展示用免震台は、回転軸と軸受部との間に摩擦材を介在することで免震機構の初期始動を抑制して、鑑賞者等が展示物に無意識に触ることによる小さな外力では展示物上載台座が揺動しないようにして、展示物上載台座の上に載置されている展示物が転倒破壊することを回避すると共に、上載する展示物が変更される場合には、回転軸と軸受部との間に介在させている摩擦ダンパー機構の摩擦抵抗力を摩擦力調整装置によってその重量に応じた操作をすることで調整して、水平移動量を超越しない範囲に収めている。
【００６４】
以上、本発明を実施の形態に基づいて詳細に説明してきたが、本発明による展示用免震台は、上記実施の形態に何ら限定されるものでなく、ローラーを備えた免震機構の形態、摩擦ダンパー機構を構成する具体的な構造や種類及び摩擦力調整装置の形状等に関しても、本発明の趣旨を逸脱しない範囲において種々の変更が可能であることは当然のことである。
【００６５】
【発明の効果】
請求項１に記載の展示用免震台は、複数のローラーから成る免震機構を、支承盤台と展示物が載置される展示物上載台座との間に配備して構成される展示用免震台であって、各ローラーの回転軸をローラー連結板の軸受部で軸支して成る免震機構、ローラーの回転軸とローラー連結板の軸受部間に装備し回転軸と軸受部との間に摩擦部材を介在させて成る摩擦ダンパー機構、摩擦ダンパー機構の摩擦部材を押圧して摩擦抵抗力を変更する押圧機構及び展示物の重量に応じて該摩擦ダンパー機構に生じさせるべき必要量の摩擦抵抗力の上限・下限値を表示した操作指示部を備えて成る、該押圧機構の摩擦力調整装置から構成されることを特徴としているので、上載展示物に対応させた所望の免震状態に作動すると共に、上載展示物の重量に合わせながら容易かつ迅速にダンパー特性を調整できる効果を発揮している。また、操作指示部には、展示物重量に対して必要な摩擦抵抗力の上限・下限値が表示されているので、展示物重量に応じて求められる摩擦力調整装置の必要操作が、特別の技量を持たない素人でも容易にできるものである。
【００６６】
請求項２に記載の展示用免震台は、請求項１に記載の展示用免震台において、免震機構を直交方向に積層して配置することを特徴としているので、上記効果に加えて、全ての方向の振動に対応できる効果を発揮している。
【００６７】
請求項３に記載の展示用免震台は、請求項１又は２に記載の展示用免震台において、押圧機構をローラー連結板端部の切り欠き部と該切り欠き部と間隙を保って対峙する締め付け材から構成することを特徴としているので、上記効果に加えて、摩擦部材の摩擦抵抗力を容易に調整できる効果を発揮している。
【００６８】
請求項４に記載の展示用免震台は、請求項３に記載の展示用免震台において、操作指示部が、締め付け材をボルトでねじ込むことで得られる摩擦抵抗力を、ボルトの回転角あるいは締め付けトルクで表示することを特徴としているので、上記効果に加えて、締め付けトルク又はボルト回転角を表示しており、これによって、変更する上載展示物の重量が判った段階で、ねじ込むボルトを操作指示部の重量値の範囲内に設定（回転）するだけで所定のダンパー特性が得られるように構成されていて、上載展示物の重量に合わせたきめの細かい微調整を特別の訓練を要さずに簡易に実施できる効果を発揮している。
【図面の簡単な説明】
【図１】本発明による展示用免震台における実施形態の斜視図
【図２】本発明における摩擦ダンパー機構と摩擦力調整装置の実施の形態図
【図３】本発明における摩擦ダンパー機構と摩擦力調整装置の他の実施形態図
【図４】本発明における摩擦ダンパー機構と摩擦力調整装置による摩擦抵抗力（Ｆ）と展示物重量（ＬＬ１）との関係を示すグラフ図
【図５】展示用免震台の従来例図
【符号の説明】
１  展示用免震台、２  支承盤台、３  展示物上載台座、４  免震機構、４Ａ、Ｂ  単一方向免震装置、５  架台フレーム、６  支持枠、７Ａ、８Ａ  上コサインレール、７Ｂ、８Ｂ  下コサインレール、９  ローラー、１０  ローラー連結板、１１  重し、１２  外装板、１５  摩擦ダンパー機構、１６  ローラー連結板、１７  回転軸、１８  軸受部、２０  Ｏリング、２１  摩擦部材、２２  押圧機構、２３、３３  摩擦力調整装置、２４  円筒孔、２５  間隙、２６  切り欠き部、２７  締め付け材、２８  皿ばね、２９  ボルト、３０  ばか穴、３１  タップ孔、３２  操作指示部、
【図１】
0004004291.tif 000004
【図２】
0004004291.tif 000005
【図３】
0004004291.tif 000006
【図４】
0004004291.tif 000007
【図５】
0004004291.tif 000008